(57)【要約】本発明の馬糞収集システムは、収集タンク（７）の入口に接続された糞の排出口（７０）と、動物の肛門領域に面するように構成された取込み口（１３）と、糞をタンク（７）に導く管状の糞収集装置（２）とを備える。糞収集装置（２）は、収集タンク（７）の入口に接続された排出口（７０）を含む第１収集部（８）と、取込み口（１３）を含む第２収集部（１１）とを有し、第２収集部（１１）は、休止位置から、取込み口（１３）が動物の肛門領域に面している収集位置に動くように、第１収集部（８）に連結されていて、収集位置では、取込み口は排出口よりも上方に位置付けられて、これにより、糞は自重によりタンクまで移動する。糞がタンク（７）に移動するのを助けるため、電気モータ（１０）により駆動されるタービン（９）を第１収集部（８）の内部に取り付けてもよい。【選択図】図７
2012515543.tif 000002
【特許請求の範囲】
【請求項１】
糞を収集するためのタンク（７）と、そのタンク（７）の入口に接続された糞の排出口（７０）と、動物の肛門領域に面するように構成された取込み口（１３）と、排泄される糞をタンク（７）に導く略管状の糞収集装置（２）とを少なくとも備え、
収集装置（２）が、タンク（７）の入口に接続された排出口（７０）を含む第１収集部（８）と、取込み口（１３）を含む第２収集部（１１）とを有し、
第２収集部（１１）が、休止位置から、取込み口（１３）が動物の肛門領域に面している収集位置へ動くように、第１収集部（８）に連結され、また、収集位置では、取込み口（１３）が排出口（７０）よりも上方に配置することにより、糞を自重によってタンクに向かって移動させる
ことを特徴とする馬糞収集システム。
【請求項２】
第１収集部（８）が、その中に、電気モータ（１０）により駆動されるタービン（９）を有し、糞をタンク（７）に引き込む
請求項１に記載の馬糞収集システム。
【請求項３】
電気モータ（１０）が、遠隔制御により操作するための受信機（６）を有する
請求項２に記載の馬糞収集システム。
【請求項４】
電気モータ（１０）に指令を与えると共に、排泄の開始時に動物が尾を上げたことを検出するために動物の背に連結される駆動・検出装置（１）を備える
請求項２または３に記載の馬糞収集システム。
【請求項５】
駆動・検出装置（１）が、動物の背にもたれかかる支持板（５）を有し、その上に、駆動スイッチ（３０）を有する固定の制御用送信機（３）が取り付けられ、そのスイッチ（３０）に作用可能に連結レバー（４）が面し、それが動物の尾に隣接して配置される自由端（４０）を有することで、動物が排泄に先立って尾を上げると、制御用送信機（３）のスイッチ（３０）が操作されてモータ（１０）が回転を開始し、糞をタービン（９）によりタンク（７）に引き込む
請求項４に記載の馬糞収集システム。
【請求項６】
支持板（５）が、動物の背の上での支持を調整するための連結付属部（５０）を有する
請求項５に記載の馬糞収集システム。
【請求項７】
収集装置（２）の第１収集部（８）と第２収集部（１１）との間に管状部（１６）を備え、それが第１収集部と第２収集部の向きを互いに適応させるように連結されることで、第２収集部（１１）の取込み口（１３）が正確に動物の肛門領域に面する
請求項１ないし６のいずれかに記載の馬糞収集システム。
【請求項８】
管状収集装置（２）の長さを拡張するための追加管部（１４）を備える
請求項１ないし７のいずれかに記載の馬糞収集システム。
【請求項９】
収集装置（２）の第１収集部（８）と第２収集部（１１）との間に、管状部（１６）の向きを調整する装置（１７）を備える
請求項８に記載の馬糞収集システム。
【請求項１０】
システムは馬具（Ａ）によって動物に結び付けられていること特徴とする、請求項１ないし９のいずれかに記載の馬糞収集システム。
【請求項１１】
前記タービン翼（９）は、動物の糞を後に堆肥またはバイオ燃料として使用するために細かく破砕及び粉砕するように構成されていることを特徴とする、請求項２に記載の馬糞収集システム。
【請求項１２】
前記タンク（７）の前記排出口（７０）に袋（７２）を取り付けることが可能であることを特徴とする、請求項１ないし１１のいずれかに記載の馬糞収集システム。
【請求項１３】
前記タンク（７）はその上部にポート（７１）を有することを特徴とする、請求項１ないし１２のいずれかに記載の馬糞収集システム。
【請求項１４】
調整可能な固定装置（１８）によって馬車に連結される
請求項１ないし１３のいずれかに記載の馬糞収集システム。
【請求項１５】
複数の収集装置（２）がタンク（７）に接続された
請求項１ないし１４のいずれかに記載の馬糞収集システム。
【請求項１６】
馬車の車輪が動くことにより生成されるエネルギーによって、モータ（１０）を駆動する
請求項２ないし１５のいずれかに記載の馬糞収集システム。
【発明の詳細な説明】
【技術分野】
【０００１】
本発明は、馬糞を収集するシステムに関する。
【背景技術】
【０００２】
特許文献１には、動物の肛門あたりに配置されて、糞を収集する交換可能なタンクを後部に備えたトラス形式の堆積システムが開示されている。動物が糞を排泄すると、その糞が内部に入るようになっている。このシステムの主な欠点は、動物の体が糞と接触するように剥き出したままであるため、不衛生であることである。
【０００３】
特許文献２には、使い捨ておむつ形式で動物の便を収集するものが開示されている。この方法の基本的な問題は、これを大型の動物に装着したときに、動物にとって不快感が生じることと、隔離されていないことによって生じる匂いである。
【先行技術文献】
【特許文献】
【０００４】
【特許文献１】スペイン実用新案１０３３３６１号
【特許文献２】スペイン実用新案１０６９６４０号
【発明の概要】
【発明が解決しようとする課題】
【０００５】
上記の従来技術を鑑み、本発明は、動物に不快感を与えることなく、動物の糞を受け取り、処理し、衛生的に隔離するための馬糞収集システムを提供することを課題とする。
【課題を解決するための手段】
【０００６】
本発明によると上記課題は、基本的に管状の糞収集装置により達成され、これは、収集タンクの入口に接続された糞の排出口と、動物の肛門領域に面するように構成された取込み口とを有し、これにより糞はタンクに導かれる。
【０００７】
本発明の更なる特徴によると、糞収集装置は、収集タンクの入口に接続された排出口を含む第１収集部と、取込み口を含む第２収集部とを有し、第２収集部は、休止位置から、取込み口が動物の肛門領域に面している収集位置に動くように、第１部に連結されていて、収集位置では、取込み口は排出口よりも上方に位置付けられて、これにより、糞は重力により糞タンクまで移動する。
【０００８】
更なる利点は、第１収集部が、その中に、モータにより駆動されるタービンを含むことにより達成することができ、これは、糞をタンクに少なくとも引き込むためのものである。
【０００９】
本発明の更なる利点は、モータが、これを遠隔制御により操作するための受信機を含むことにより達成される。
【００１０】
本発明の更なる別の特徴は、モータに指令を与えると共に、排泄の開始時に動物が尾を上げたことを検出するための駆動・検出装置を備えることであり、これは、作用可能に動物の背に連結される。
【００１１】
馬糞収集システムの更なる別の特徴によると、駆動・検出装置は、支持板で構成され、その上に、駆動スイッチを有する固定の制御用送信機が取り付けられ、そのスイッチに作用可能に連結レバーが面している。
【００１２】
これは動物の尾に隣接して配置される自由端を有し、これにより、動物が排泄に先立って尾を上げると、制御用送信機のスイッチが操作されてモータが回転を開始し、糞をタービンによりタンクに引き込むことが可能となる。
【００１３】
また本発明の利点であるのは、支持板が、馬の背の上での支持を調整するための連結付属部を有していることである。
【００１４】
本発明の更なる別の特徴によると、収集装置の第１と第２の管状部分の間に管状部を備え、これは、第１収集部と第２収集部を適切な方向に向けるようにこれらに連結されて、これにより、第２部の取込み口が完璧に動物の肛門領域に面するようにしている。
【００１５】
更なる別の特徴によると、管状収集装置の長さを拡張するための追加管部が提供される。
【００１６】
更なる利点は、管状部の向きを調整するため、第１部と第２部との間に設けられた装置により達成することができる。
【００１７】
更なる別の特徴によると、本糞収集システムは、馬具を用いて動物に結び付けられる。
【００１８】
本発明の更なる別の特徴は、タービン翼が、動物の糞を後に堆肥またはバイオ燃料として使用するために細かく破砕及び粉砕するように構成されていることである。
【００１９】
また本発明の利点であるのは、糞またはそれを処理したものを収容するために、タンクの排出口に取り付けられた袋を有していることである。
【００２０】
また本発明の利点であるのは、糞またはそれを処理したものを取り出すために、タンクの上部にポートを有していることである。
【００２１】
更なる別の特徴によると、本馬糞収集システムが、調整可能な固定装置によって馬車に連結されることである。
【００２２】
更なる別の特徴によると、馬糞収集システムは、タンクに接続されたいくつかの収集装置を備えることが可能である。
【００２３】
更に別の特徴によると、馬車の車輪が動くことにより生成されるエネルギーによって、モータを駆動することが可能である。
【図面の簡単な説明】
【００２４】
【図１】動物に装着された馬糞収集システムを概略的に示す斜視図
【図２】駆動・検出装置を詳細に示す斜視図
【図３】糞収集装置を詳細に示す斜視図
【図４】糞タンクを詳細に示す斜視図
【図５】連結部を示す斜視図
【図６】管状拡張部及び取込み口を示す斜視図
【図７】収集装置の休止位置及び収集位置を概略的に示す斜視図
【図８】馬車を連結するための機構を示す斜視図
【発明を実施するための形態】
【００２５】
本発明のその他の特徴及び利点は、添付の図面を用いて行われる以下の実施形態の説明からより明らかになる。
図１及び３に示すように、馬糞収集システムは、基本的に管状の糞収集装置２からなるもので、動物の肛門領域に面する取込み口１３を有し、これは動物が糞を排泄したときにその糞を受け取るためのもので、収集タンク７につながっている。
【００２６】
図３及び５に示すように、収集装置２は、休止位置から収集位置に、すなわち取込み口１３が動物の肛門領域に面するように、動くようになっている。このため、収集装置２は、その端部に収集タンク７の入口につながる排出口７０を備える逆漏斗状の第１収集部８を有し、これは、取込み口１３を動物の肛門領域に向ける第２収集部１１に連結されている。
【００２７】
図示のように、収集位置において、第２収集部１１の取込み口１３は、第１収集部８の排出口７０よりも高い位置にあり、これによって、糞は重力によりタンク７に向かって移動することができる。
【００２８】
しかしながら、取込み口１３からタンク７への糞の移動を助けるため、第１収集部８には、モータ１０により駆動されるタービンが設けられていて、モータ１０がタービン翼を稼働させると、糞はタンク７に向かって押し動かされる。
【００２９】
モータ１０は、ケーブルによる接続も可能であるが、遠隔制御により起動するための受信機６を設けることもできる。
【００３０】
さらに、本発明によると、モータ１０を始動させるための駆動・検出装置１をシステムに組み込むことができ、これは支持板５を有して、その上に、駆動スイッチ３０を有する固定の制御用送信機３が取り付けられている。そのスイッチ３０に作用可能に連結レバー４が面していて、これは動物の尾に隣接して配置される自由端４０を有している。従って、動物が排泄に先立って尾を上げると、スイッチ３０が操作されて、制御用送信機３が信号を送信し、これによってモータ１０が回転を開始して、糞をタービン９によりタンク７に引き込むことが可能となる。
【００３１】
その動物への接続を調整して不快感を生じさせないようにするため、支持板５は連結付属部５０を有していて、これは動物の背にフィットするように傾斜して、動物が尾を動かしたときに連結レバー４が起動スイッチ３０を動かすようにしている。
【００３２】
収集装置２の第１部８と第２部１１の間のより高い可動性を提供するため、収集管２は管状部１６を有していて、これは、第１収集部と第２収集部を適切な方向に向けるようにこれらに連結されて、これにより、第２部１１の取込み口１３が完璧に動物の肛門領域に面するようにしている。
【００３３】
収集装置２を馬車に設置するために長さを拡張する必要があるときには、図６に示すように追加管部１４が設けられる。
【００３４】
収集装置を配置した結果、第２部１１の向きを変更する必要が生じた場合に、動物の肛門領域に面するように向けることを容易にするための、装置１７が設けられている。
【００３５】
糞収集システムを動物に装着するときには、それは側部に配置されて、馬具Ａによって動物に結び付けられる。
【００３６】
本発明の別の好ましい実施形態では、タービン翼９により糞が細かく破砕されて、後に堆肥やバイオ燃料として用いる準備ができた状態でタンク７に堆積される。
【００３７】
糞または粉砕物の取り出しをより簡単にするため、タンク７の上部に少なくとも１つのポート７１を備えている。
【００３８】
タンク７の排出口７０に袋７２を取り付けることも可能である。
【００３９】
最後に、図８に示すように、馬糞収集システムを装置１８によって馬車に連結することもできる。この場合、馬車の車輪が動くことにより生成されるエネルギーによってモータ１０を駆動することができ、そして、いくつかの収集装置２をタンク７に接続することが可能である。
【００４０】
当業者であれば容易に理解できるように、上記の構成は本発明の好ましい実施形態の単なる例示であり、その趣旨から逸脱することなく設計変更も可能であり、本発明は、特許請求の範囲によってのみ制限される。
【図１】
2012515543.tif 000003
【図２】
2012515543.tif 000004
【図３】
2012515543.tif 000005
【図４】
2012515543.tif 000006
【図５】
2012515543.tif 000007
【図６】
2012515543.tif 000008
【図７】
2012515543.tif 000009
【図８】
2012515543.tif 000010
【国際調査報告】
2012515543.tif 000011
2012515543.tif 000012
2012515543.tif 000013
2012515543.tif 000014
2012515543.tif 000015
2012515543.tif 000016